【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
アノード極、アニオン伝導性電解質膜およびカソード極をこの順で備えるアルカリ形燃
料電池を含む燃料電池部と、
前記アノード極に還元剤を供給するための還元剤供給部と、
前記カソード極に酸化剤を供給するための酸化剤供給部と、
前記アノード極に供給される還元剤の流量および／または湿度を調整するための第１調
整部と、
前記アノード極から排出される還元剤の相対湿度Ｈを少なくとも検出する第１検出部と
、
前記第１調整部および前記第１検出部に接続され、前記第１検出部による検出結果に基
づいて、前記第１調整部による前記還元剤の流量および／または湿度の調整を制御するた
めの第１制御部と、
を備えるアルカリ形燃料電池システム。
【請求項２】
前記第１検出部は、前記アルカリ形燃料電池のアノード極とカソード極との間を流れる
電流値の単位時間当たりの変化量Δｉおよび出力電圧値の単位時間当たりの変化量ΔＶを
さらに検出するものである請求項１に記載のアルカリ形燃料電池システム。
【請求項３】
前記第１検出部によって検出されたΔｉがＣi〜Ｄi（ただし、Ｃiは負の値であり、Ｄi
は正の値である。）の範囲内である場合において、
前記第１検出部によって検出された相対湿度Ｈが所定値ＥH（ただし、ＥHは１００％Ｒ
Ｈより小さい値である。）以下である場合には、前記第１制御部は、前記第１調整部が還
元剤の流量の低減および／または還元剤の湿度の増加を行なうように制御し、
前記第１検出部によって検出された相対湿度Ｈが所定値ＦH（ただし、ＦH＝１００％Ｒ
Ｈである。）以上である場合には、前記第１制御部は、前記第１検出部がΔＶを検出する
ように制御するとともに、該ΔＶが所定値ＧV（ただし、ＧVは負の値である。）未満であ
る場合には、前記第１調整部が還元剤の流量の増加および／または還元剤の湿度の低減を
行なうように制御する請求項２に記載のアルカリ形燃料電池システム。
【請求項４】
前記第１検出部によって検出されたΔｉがＣi〜Ｄi（ただし、Ｃiは負の値であり、Ｄi
は正の値である。）の範囲内である場合において、
前記第１検出部によって検出されたΔＶが所定値ＧV（ただし、ＧVは負の値である。）
未満である場合には、前記第１制御部は、前記第１検出部が相対湿度Ｈを検出するように
制御するとともに、該相対湿度Ｈが所定値ＥH（ただし、ＥHは１００％ＲＨより小さい値
である。）以下である場合には、前記第１調整部が還元剤の流量の低減および／または還
元剤の湿度の増加を行なうように制御し、該相対湿度Ｈが所定値ＦH（ただし、ＦH＝１０
０％ＲＨである。）以上である場合には、前記第１調整部が還元剤の流量の増加および／
または還元剤の湿度の低減を行なうように制御する請求項２に記載のアルカリ形燃料電池
システム。
【請求項５】
前記第１検出部によって検出されたΔｉが所定値Ｃiより小さい場合には、前記第１制
御部は、前記第１調整部が還元剤の流量の低減および／または還元剤の湿度の増加を行な
うように制御し、
前記第１検出部によって検出されたΔｉが所定値Ｄiより大きい場合には、前記第１制
御部は、前記第１調整部が還元剤の流量の増加および／または還元剤の湿度の低減を行な
うように制御する請求項３または４に記載のアルカリ形燃料電池システム。
【請求項６】
Δｉの所定値Ｃiが−５０〜−２５〔ｍＡ／ｃｍ2・ｍｉｎ〕の範囲内であり、所定値Ｄ
iが＋２５〜＋５０〔ｍＡ／ｃｍ2・ｍｉｎ〕の範囲内であり、相対湿度Ｈの所定値ＥHが
８０〜９５〔％ＲＨ〕の範囲内であり、ΔＶの所定値ＧVが−５０〜−２〔ｍＶ／ｍｉｎ
〕の範囲内である請求項３〜５のいずれかに記載のアルカリ形燃料電池システム。
【請求項７】
前記アルカリ形燃料電池は、アノードセパレータ、アノード極、アニオン伝導性電解質
膜、カソード極およびカソードセパレータをこの順で備え、
前記還元剤供給部は、還元剤供給源と前記アノードセパレータとを接続する配管を含み、
前記配管は、前記第１調整部としての流量調整弁および／または調湿器を具備する
請求項１〜６いずれかに記載のアルカリ形燃料電池システム。
【請求項８】
アノード極、アニオン伝導性電解質膜およびカソード極をこの順で備えるアルカリ形燃
料電池を含む燃料電池部と、
前記アノード極に還元剤を供給するための還元剤供給部と、
前記カソード極に酸化剤を供給するための酸化剤供給部と、
前記カソード極に供給される酸化剤の流量および／または湿度を調整するための第２調
整部と、
前記カソード極から排出される酸化剤の相対湿度Ｈ’を少なくとも検出する第２検出部
と、
前記第２調整部および前記第２検出部に接続され、前記第２検出部による検出結果に基
づいて、前記第２調整部による前記酸化剤の流量および／または湿度の調整を制御するた
めの第２制御部と、
を備えるアルカリ形燃料電池システム。
【請求項９】
前記第２検出部は、前記アルカリ形燃料電池のアノード極とカソード極との間を流れる
電流値の単位時間当たりの変化量Δｉ’および出力電圧値の単位時間当たりの変化量ΔＶ
’をさらに検出するものである請求項８に記載のアルカリ形燃料電池システム。
【請求項１０】
前記第２検出部によって検出されたΔｉ’がＣi’〜Ｄi’（ただし、Ｃi’は負の値で
あり、Ｄi’は正の値である。）の範囲内である場合において、
前記第２検出部によって検出された相対湿度Ｈ’が所定値ＥH’（ただし、ＥH’は１０
０％ＲＨより小さい値である。）以下である場合には、前記第２制御部は、前記第２調整
部が酸化剤の流量の増加および／または酸化剤の湿度の増加を行なうように制御し、
前記第２検出部によって検出された相対湿度Ｈ’が所定値ＦH’（ただし、ＦH’＝１０
０％ＲＨである。）以上である場合には、前記第２制御部は、前記第２検出部がΔＶ’を
検出するように制御するとともに、該ΔＶ’が所定値ＧV’（ただし、ＧV’は負の値であ
る。）未満である場合には、前記第２調整部が酸化剤の流量の低減および／または酸化剤
の湿度の低減を行なうように制御する請求項９に記載のアルカリ形燃料電池システム。
【請求項１１】
前記第２検出部によって検出されたΔｉ’がＣi’〜Ｄi’（ただし、Ｃi’は負の値で
あり、Ｄi’は正の値である。）の範囲内である場合において、
前記第２検出部によって検出されたΔＶ’が所定値ＧV’（ただし、ＧV’は負の値であ
る。）未満である場合には、前記第２制御部は、前記第２検出部が相対湿度Ｈ’を検出す
るように制御するとともに、該相対湿度Ｈ’が所定値ＥH’（ただし、ＥH’は１００％Ｒ
Ｈより小さい値である。）以下である場合には、前記第２調整部が酸化剤の流量の増加お
よび／または酸化剤の湿度の増加を行なうように制御し、該相対湿度Ｈ’が所定値ＦH’
（ただし、ＦH’＝１００％ＲＨである。）以上である場合には、前記第２調整部が酸化
剤の流量の低減および／または酸化剤の湿度の低減を行なうように制御する請求項９に
記載のアルカリ形燃料電池システム。
【請求項１２】
前記第２検出部によって検出されたΔｉ’が所定値Ｃi’より小さい場合には、前記第
２制御部は、前記第２調整部が酸化剤の流量の低減および／または酸化剤の湿度の低減を
行なうように制御し、
前記第２検出部によって検出されたΔｉ’が所定値Ｄi’より大きい場合には、前記第
２制御部は、前記第２調整部が酸化剤の流量の増加および／または酸化剤の湿度の増加を
行なうように制御する請求項１０または１１に記載のアルカリ形燃料電池システム。
【請求項１３】
Δｉ’の所定値Ｃi’が−５０〜−２５〔ｍＡ／ｃｍ2・ｍｉｎ〕の範囲内であり、所定
値Ｄi’が＋２５〜＋５０〔ｍＡ／ｃｍ2・ｍｉｎ〕の範囲内であり、相対湿度Ｈ’の所定
値ＥH’が７０〜９５〔％ＲＨ〕の範囲内であり、ΔＶ’の所定値ＧV’が−５０〜−２〔
ｍＶ／ｍｉｎ〕の範囲内である請求項１０〜１２のいずれかに記載のアルカリ形燃料電池
システム。
【請求項１４】
前記アルカリ形燃料電池は、アノードセパレータ、アノード極、アニオン伝導性電解質
膜、カソード極およびカソードセパレータをこの順で備え、
前記酸化剤供給部は、酸化剤供給源と前記カソードセパレータとを接続する配管を含み
、
前記配管は、前記第２調整部としての流量調整弁および／または調湿器を具備する
請求項８〜１３のいずれかに記載のアルカリ形燃料電池システム。